(57)【要約】【課題】老眼鏡をしなくても携帯電話からルーペを簡単に引き出せて携帯電話の画面やボタン部を見られるようにすることである。【解決手段】収縮器具と連結した２枚のルーペを引き出した際、それに連結する収縮器具が携帯電話に装着された保護ケースに固定されながら携帯電話と平行に広がるので、ルーペに手を添えることなく自由に両手を使ってメールなどもできて、ちょっとだけ見たいものがある時でも、着脱可能な開閉レバーを施した１枚のルーペだけを解除して引き出せば見ることができる。【選択図】  図１
0003166641.tif 000002
【実用新案登録請求の範囲】
【請求項１】
何時でも何処でも持ち歩く携帯電話の画面の表側に、本考案する携帯ルーペを着脱が可能な接着剤で装着した状態を示す図２を参照に上方から見て説明すると、２枚のルーペが手前部分の着脱可能なヒンジで連結して重なり、下部ルーペの下段には収縮自在な器具２体が連結し３段に重なって保護ケース15に収納され一体化されていて、上部ルーペ２の枠部手前の連結軸棒５を裏部に施した開閉レバー４を下へ押し込むことで、収縮自在の器具と連結させた下段ルーペ３の枠部手前に設けられた止め輪的構造の軸受孔６に連結軸棒５が収まって連結してヒンジとなり、保護ケースから２枚のルーペを最後まで引き出して開くと、図１のように押し込まれたレバーが戻ろうとするバネの力で携帯電話の画面とボタン部と平行に開いて両方を同時に見ることができ、逆に２枚のルーペが連結された状態から開閉レバーを引き上げると上部のルーペ２だけが離れて引き出すことが可能となり、ちょっとした細かな文字などを見ることもできて、必要に応じては取り外すこともできる携帯ルーペ。
【請求項２】
請求項１記載の下部ルーペに連結する収縮自在の器具は２体で構成されており、抜き差しのできる机の引き出しのように、物を入れる引き出し部が収縮器具９であり、それを収納する箱部が収縮器具10であって、収縮器具９の先端部の両側面には収縮器具軸12が設けられていて、収縮器具10の両側面部にはその収縮器具軸12がそれぞれ収まり外側面部まで切り込まれた溝が施されていて、それを突き通した軸の先端を両側面からキャップで固定することで収縮器具９、10が連結して固定され、スライド溝11は収縮器具軸12、14を摺動自在に支持する溝でありその底辺部を切り込んで施された軸止め13が溝内に突き出た部分を、抜き差しの力を加えることで各軸が押し超え収縮器具軸14が施された収縮器具10の場合は、収縮器具軸受け16と一旦押し除けられた軸止め13の突き出た部分とがバネの力で戻って固定されるが、ルーペ軸棒８と収縮器具軸12は前記同様に固定されながらヒンジとなり回転する仕組みになっている携帯ルーペ。
【考案の詳細な説明】
【技術分野】
【０００１】
携帯電話に装着された２枚のルーペが固定されるので、手を使わずに画面とボタン部を拡大して見る事ができる携帯ルーペ。
【背景技術】
【０００２】
従来の携帯できるルーペとしては、ポケットやバッグの中に入れて置くもの、ストラップとして携帯電話、バックなどにぶらさげるものや、本考案する携帯ルーペのように、ケースの中に１枚のルーペが収納されて、それを引き出して使用することができるが、現在では子供からお年寄りまでが携帯電話を持つのがあたりまえ、ルーペや老眼鏡より携帯電話を忘れたら一大事と言われる時代です。また、従来の携帯電話ではお年寄りに対処した簡単で大文字などの工夫だけですが、裸眼では見えにくいものです。
【先行技術文献】
【非特許文献】
【０００３】
該当技術は特にない。
【考案の概要】
【考案が解決しようとする課題】
【０００４】
わざわざ老眼鏡をかけなくても常にルーペを身に着けておけば、見えにくいものがあれば取り出して見ることができるが、携帯電話を使用する時に画面と手元のボタン部を見るときに、片手でルーペを持たなければいけないので操作がしにくいことがある。
【０００５】
本考案は、わざわざルーペを持ち歩かなくても常備携帯している携帯電話に収縮自在のルーペを連設させることで、老眼鏡をしなくても携帯電話からルーペを簡単に引き出せて携帯電話の画面やボタン部を見られるようにすることである。
【課題を解決するための手段】
【０００６】
上述の目的を解決するための本考案の携帯ルーペは、収縮器具と連結した２枚のルーペを引き出した際、それに連結する収縮器具が携帯電話に装着された保護ケースに固定されながら携帯電話と平行に広がるので、ルーペに手を添えることなく自由に両手を使ってメールなどもできて、ちょっとだけ見たいものがある時でも、着脱可能な開閉レバーを施した１枚のルーペだけを解除して引き出せば見ることができる。
【考案の効果】
【０００７】
以上説明したとおり本考案によれば、中年層の人は細かい文字など見ることに不自由さを感じながらも老眼鏡やルーペを持つことに抵抗があったが、携帯電話からコンパクトに収納されたルーペを簡単に引き出して見ることができるので、目を細め遠くに離して見ることや、わざわざ老眼鏡を取り出すこともなく、見えにくいからと言って嫌っていた携帯電話のメールも楽しくできるようになった。
【考案を実施するための形態】
【０００８】
以下、本考案の実施の形態を図面に基づき詳細に説明する。
【０００９】
携帯電話に装着して使用するために図１〜図３で示すとおり、軽くて薄いルーペであることと、ルーペと収縮器具が連結され保護ケースにコンパクトに収納されて構成されているように、収縮器具など軽くて丈夫な材質を選択する必要がある。
【００１０】
図１〜図６は本考案の実施の形態に係り、図１は実施の外観斜視図、図２、３は携帯電話に装着しした携帯ルーペの保護ケースから着脱可能なルーペ２を引き出した状態を示す外観斜視図、図４は図１の側面図、図５、６はその２枚のルーペと収縮器具と連結する仕組みと構造を表した外観斜視図。
【００１１】
図７は２枚のルーペと連結する収縮器具とがスライドしながら保護ケース15に収納される段階を示す外観斜視図、図８はルーペ２に設けた開閉レバー４を引き上げることで、ルーペ３の枠に連設された軸受孔６から連結軸棒５が解除されてルーペ２だけを引き出すことを可能にする構造を示めす断面図。図９は図８の逆に開閉レバー４を押し下げて２枚のルーペを連結させて保護ケース15から引き出すと、ルーペ３に設けた連結軸棒５と連なる収縮器具９と、それに連結する収縮器具10に設けた収縮器具軸12、13が引き出される方向へ、収縮器具９、10と保護ケース15のそれぞれに施されたスライド溝11をスライドして収縮器具と保護ケースの収縮器具軸受け16と軸止め13で一時的に固定される構造を示す断面図である。
【００１２】
図10は連結された2枚のルーペのうち着脱しないルーペ３に設けたルーペ軸棒８が、収縮器具９に施されたスライド溝11に沿って左右にスライドして軸受け16と軸止め13によって一時固定される構造を示した断面図であり、収縮器具９と収縮器具10の連結される構造も同じである。
【実施例】
【００１３】
携帯ルーペは厚さ0.5ｍｍ程度の薄型アクリル製のルーペに強度を高めて損傷を防ぐための枠を施し、それに設けられた開閉レバー４の裏には、柔軟に上下に曲がりやすくするためのＵ字型ノッチ７の切り込み部と連結軸棒５を施し、それを押し下げたり、引き上げたりすることでもう１枚のルーペの枠に施した軸受け孔6と連結軸棒5とが着脱する。それにはルーペ軸棒８と軸受け孔、収縮器具軸12、14と収縮器具９、10に施したスライド溝11がスムーズに着脱できてスライドし易く丈夫で硬質な滑りの良い樹脂材もしくは金属を選択する。
【００１４】
図９で示すルーペ２とルーペ３の連結軸棒５と軸受け孔６がジョイントしてヒンジとしての適度な径と、図10で示すルーペ３のルーペ軸棒８と収縮器具軸12、14がスライド溝11に収まってスライドできる適度な径で保たれている。ルーペ軸棒８と収縮器具軸12とが連結する収縮器具９、10の連結部分は、軸がスライド溝11の内側より外側に突き通した軸の先端部をスライド溝11の径より大きいキャップでパッキングして収縮器具10の両側面より固定している。
【００１５】
ルーペを最大限に引き出した際、収縮器具10に設けられた収縮器具軸14が、保護ケース15に施されたスライド溝11をスライドして収縮器具軸受け16で遮られ軸止め13で固定されて２枚のルーペを広げると、携帯電話の画面とボタン部の両方を見る事ができる。携帯電話のさまざまな形体に合わせる場合、収縮器具とルーペ、２枚のルーペの開く角度など多少の調製を必要とする。
【産業上の利用可能性】
【００１６】
本考案は老眼になりかけた中年層をターゲットに製造、販売する産業分野で利用することができる。
【図面の簡単な説明】
【００１７】
【図１】引き出したルーペを広げて携帯電話を見ている外観斜視図である。
【図２】携帯ルーペを携帯電話に装着した外観斜視図である。
【図３】携帯電話に装着した携帯ルーペからルーペ２を引き出した外観斜視図である。
【図４】保護ケースから引き出された収縮器具９、10を連ねたルーペ２，３が、携帯電話と平行に広げられて使用するときを示す側面図である。
【図５】２枚のルーペと連結する収縮器具との構造を示す外観斜視図である。
【図６】図４を逆方向から拡大して示した外観斜視図である。
【図７】図５、図６の連結体が保護ケース15に収納される状態を示す外観斜視図である。
【図８】着脱可能としたルーペ２だけが引き出される構造を示す断面図である。
【図９】ルーペ２，３と連なる収縮器具が引き出される構造を示す断面図である。
【図１０】連結されたルーペのルーペ軸棒８が収縮器具９に設けられたスライド溝11をスライドして、軸止め13で一時的に固定する動作の繰返しを示す断面図である。
【符号の説明】
【００１８】
１．  携帯電話
２．  着脱可能なルーペ
３．  ルーペ
４．  開閉レバー
５．  連結軸棒
６．  軸受け孔
７．  ノッチ
８．  ルーペ軸棒
９．  収縮器具
１０．  収縮器具
１１．  スライド溝
１２．  収縮器具軸
１３．  軸止め
１４．  収縮器具軸
１５．  保護ケース
１６．  収縮器具軸受け
【図１】
0003166641.tif 000003
【図２】
0003166641.tif 000004
【図３】
0003166641.tif 000005
【図４】
0003166641.tif 000006
【図５】
0003166641.tif 000007
【図６】
0003166641.tif 000008
【図７】
0003166641.tif 000009
【図８】
0003166641.tif 000010
【図９】
0003166641.tif 000011
【図１０】
0003166641.tif 000012
【手続補正書】
【提出日】平成22年10月6日(2010.10.6)
【手続補正１】
【補正対象書類名】図面
【補正対象項目名】全図
【補正方法】変更
【補正の内容】
【図１】
0003166641.tif 000013
【図２】
0003166641.tif 000014
【図３】
0003166641.tif 000015
【図４】
0003166641.tif 000016
【図５】
0003166641.tif 000017
【図６】
0003166641.tif 000018
【図７】
0003166641.tif 000019
【図８】
0003166641.tif 000020
【図９】
0003166641.tif 000021
【図１０】
0003166641.tif 000022
【手続補正書】
【提出日】平成22年12月27日(2010.12.27)
【手続補正１】
【補正対象書類名】実用新案登録請求の範囲
【補正対象項目名】全文
【補正方法】変更
【補正の内容】
【実用新案登録請求の範囲】
【請求項１】
携帯電話の画面に対応する２枚のルーペ２，３を、一方のルーペ２の一端縁に配した連結軸棒５を備えた開閉レバー４を、他方のルーペ３の一端縁に配した一部が開口した軸受け孔６に、連結軸棒５を着脱可能に軸止させることにより、重合させ、
他方のルーペ３の一方のルーペ２との軸着側と反対側に、ルーペ３の幅に対応した矩形状の第１収納器具９を、ルーペ３の幅方向両側に配したスライド溝１１を介して進退可能に配し、
第１収納器具９のルーペ３側と反対側に、第１収納器具９に対応する矩形状の第２収納器具１０を、軸着させ、
重合させた他方のルーペ３の下方に第１収納器具９および第２収納器具１０を延伸させて重合させ、
画面を備えた一方の携帯電話体の裏側に、携帯電話の長さ方向の外方側を開口させ、内部の幅方向両側にスライド溝１１を備えた保護ケース１５を配し、
保護ケース１５のスライド溝１１のケース開口と反対側隅に、第２収納器具１０の第１収納器具９と反対側端縁に配した収納用軸１４を、係脱可能に軸止させ、
保護ケース１５に、重合させた２枚のルーペ２，３と、他方のルーペ３に重合させた第１収納器具９および第２収納器具１０と、を重合させて一体化収納させた携帯ルーペ。
【請求項２】
第１収納器具９のルーペ３側端縁に、ルーペ３のスライド溝１１間距離より長いルーペ軸棒８を配し、ルーペ３の第１収納器具９からの抜出しを防止し、
保護ケース１５のスライド溝１１のケース開口側隅に収納用軸受け１６を配し、第２収納器具１０の収納用軸１４を、係脱可能に軸止させて第２収納器具１０の保護ケース１５からの抜出しを防止することを特徴とする請求項１記載の携帯ルーペ。
【手続補正２】
【補正対象書類名】明細書
【補正対象項目名】全文
【補正方法】変更
【補正の内容】
【考案の詳細な説明】
【技術分野】
【０００１】
携帯電話に装着された２枚のルーペが固定されるので、手を使わずに画面とボタン部を拡大して見る事ができる携帯ルーペ。
【背景技術】
【０００２】
従来の携帯できるルーペとしては、ポケットやバッグの中に入れて置くもの、ストラップとして携帯電話、バックなどにぶらさげるものや、本考案する携帯ルーペのように、ケースの中に１枚のルーペが収納されて、それを引き出して使用することができるが、現在では子供からお年寄りまでが携帯電話を持つのがあたりまえ、ルーペや老眼鏡より携帯電話を忘れたら一大事と言われる時代です。また、従来の携帯電話ではお年寄りに対処した簡単で大文字などの工夫だけですが、裸眼では見えにくいものです。
【先行技術文献】
【非特許文献】
【０００３】
該当技術は特にない。
【考案の概要】
【考案が解決しようとする課題】
【０００４】
わざわざ老眼鏡をかけなくても常にルーペを身に着けておけば、見えにくいものがあれば取り出して見ることができるが、携帯電話を使用する時に画面と手元のボタン部を見るときに、片手でルーペを持たなければいけないので操作がしにくいことがある。
【０００５】
本考案は、わざわざルーペを持ち歩かなくても常備携帯している携帯電話に収縮自在のルーペを連設させることで、老眼鏡をしなくても携帯電話からルーペを簡単に引き出せて携帯電話の画面やボタン部を見られるようにすることである。
【課題を解決するための手段】
【０００６】
上述の目的を解決するため、本考案の携帯ルーペは、携帯電話の画面に対応する２枚のルーペを、一方のルーペの一端縁に配した連結軸棒を備えた開閉レバーを、他方のルーペの一端縁に配した一部が開口した軸受け孔に、連結軸棒を着脱可能に軸止させることにより、重合させ、他方のルーペの一方のルーペと反対側に、他方のルーペの幅に対応した矩形状の第１収納器具を、他方のルーペの幅方向両側に配したスライド溝を介して進退可能に配し、第１収納器具のルーペと反対側に、第１収納器具に対応する矩形状の第２収納器具を、軸着させ、重合させた他方のルーペの下方に第１、第２収納器具を延伸させて重合させ、画面を備えた一方の携帯電話体の裏側に、携帯電話の長さ方向の外方側を開口させ、内部の幅方向両側にスライド溝を備えた保護ケースを配し、保護ケースのスライド溝のケース開口と反対側隅に、第２収納器具の第１収納器具と反対側端縁に配した収納用軸を、係脱可能に軸止させ、
保護ケースに、重合させた２枚のルーペと、他方のルーペに重合させた第１、第２収納器具と、を重合させて一体化収納させたことを特徴とするものである。
【考案の効果】
【０００７】
以上説明したとおり本考案によれば、中年層の人は細かい文字など見ることに不自由さを感じながらも老眼鏡やルーペを持つことに抵抗があったが、携帯電話からコンパクトに収納されたルーペを簡単に引き出して見ることができるので、目を細め遠くに離して見ることや、わざわざ老眼鏡を取り出すこともなく、見えにくいからと言って嫌っていた携帯電話のメールも楽しくできるようになった。
【図面の簡単な説明】
【０００８】
【図１】引き出したルーペを広げて携帯電話を見ている外観斜視図である。
【図２】携帯ルーペを携帯電話に装着した外観斜視図である。
【図３】携帯電話に装着した携帯ルーペからルーペ２を引き出した外観斜視図である。
【図４】保護ケースから引き出された第１、第２収納器具９、10およびルーペ２，３が、携帯電話と平行に広げられて使用するときを示す側面図である。
【図５】２枚のルーペと収縮器具との重合構造を示す外観斜視図である。
【図６】同、２枚のルーペを折り畳んだ状態を示した外観斜視図である。
【図７】図５、図６の連結体が保護ケース15に収納される状態を示す外観斜視図である。
【図８】着脱可能とした一方のルーペ２だけが引き出される構造を示す断面図である。
【図９】ルーペ２，３と第１、第２収納器具が引き出される構造を示す断面図である。
【図１０】２枚のルーペの一方が保護ケース内で一時的に固定される動作の繰返しを示す断面図である。
【考案を実施するための形態】
【０００９】
以下、本考案の実施の形態を図面に基づき詳細に説明する。
【００１０】
携帯電話に装着して使用するために図１〜図３で示すとおり、軽くて薄いルーペであることと、２枚のルーペと２つの収納器具とを重合させて保護ケースにコンパクトに収納させるように構成するため、収納器具など軽くて丈夫な材質を選択する必要がある。
【００１１】
図１〜図６は本考案の実施の形態に係り、図１は本例の外観斜視図、図２は携帯ルーペを収納した状態を示す外観斜視図、図３は携帯電話に装着した携帯ルーペを引き出した状態を示す外観斜視図、図４は本例の側面図、図５、６は２枚のルーペと２つの収納器具とを重合させる構造を示す外観斜視図である。
【００１２】
図７は２枚のルーペと２つの収納器具とが保護ケース15に収納される段階を示す外観斜視図、図８は一方のルーペだけを引き出す構造を示す断面図、図９は２枚のルーペを重合させて保護ケース15から引き出す構造を示す断面図である。
【００１３】
図１０は２枚のルーペの一方が保護ケース内で一時固定される構造を示した断面図であり、２つの収縮器具を重合させる構造も同じである。
【実施例１】
【００１４】
本考案の携帯ルーペを構成するルーペ２，３は厚さ0.5ｍｍ程度の薄型アクリル製であり、強度を高めて損傷を防ぐための枠を施してある。ルーペ２の一端縁に、連結軸棒５を備えた開閉レバー４が、設けられている。開閉レバー４の内側に、柔軟に上下に曲がりやすくするためのＵ字型ノッチ７を配してある。連結軸棒５を、他方のルーペ３に配した軸受け孔６に軸止させ、開閉レバー４を押し下げたり、引き上げたりすることで他方のルーペ３の軸受け孔6と連結軸棒5とを着脱できる。
他方のルーペ３の一方のルーペ２と反対側に、他方のルーペ３の幅に対応した矩形状の第１収納器具９を、他方のルーペ３の幅方向両側に配したスライド溝１１を介して進退可能に配してある。
第１収納器具９のルーペ３と反対側に、第１収納器具９に対応する矩形状の第２収納器具１０を、軸着させ、重合させた他方のルーペ３の下方に第１、第２収納器具９，１０を延伸させて重合させてある。
画面を備えた一方の携帯電話体の裏側に、携帯電話の長さ方向の外方側を開口させ、内部の幅方向両側にスライド溝１１を備えた保護ケース１５を配してある。
保護ケース１５のスライド溝１１のケース開口と反対側隅に、第２収納器具１０の第１収納器具９と反対側端縁に配した収納用軸１４を、係脱可能に軸止させてある。
保護ケース１５に、重合させた２枚のルーペ２，３と、他方のルーペ３に重合させた第１、第２収納器具９，１０と、を重合させて一体化収納させてある。
本例において、第１収納器具９のルーペ３側端縁に、ルーペ３のスライド溝１１間距離より長いルーペ軸棒８を配し、ルーペ３の第１収納器具９からの抜出しを防止してある。
また、保護ケース１５のスライド溝１１のケース開口側隅に収納用軸受け１６を配し、第２収納器具１０の収納用軸１４を、係脱可能に軸止させて第２収納器具１０の保護ケース１５からの抜出しを防止してある。
第１、第２収納器具９、１０としては、スライドし易く丈夫で硬質な滑りの良い樹脂材もしくは金属を選択する。
【００１５】
図９で示すルーペ２とルーペ３の連結軸棒５と軸受け孔６とが軸止してヒンジとして適度な径で保たれている。図１０で示すルーペ３のルーペ軸棒８と収納用軸１２、１４がスライド溝１１に収まってスライドできる適度な径で保たれている。
【００１６】
ルーペを最大限に引き出した際、第２収納器具１０の収納用軸１４が、保護ケース１５のスライド溝１１をスライドして収納用軸受け１６で遮られ軸止め１３で固定される。この状態で２枚のルーペ２，３を広げると、携帯電話の画面とボタン部の両方を見る事ができる。携帯電話のさまざまな形体に合わせて、第１、第２収納器具９，１０と２枚のルーペ２，３の形体および開く角度など多少の調製を必要とする。
【産業上の利用可能性】
【００１７】
本考案は老眼になりかけた中年層をターゲットに製造、販売する産業分野で利用することができる。
【符号の説明】
【００１８】
１  携帯電話
２  ルーペ（着脱可能な）
３  ルーペ
４  開閉レバー
５  連結軸棒
６  軸受け孔
７  ノッチ
８  ルーペ軸棒
９  第１収納器具
１０  第２収納器具
１１  スライド溝
１２  収納用軸
１３  軸止め
１４  収納用軸
１５  保護ケース
１６  収納用軸受け